(57)【要約】【課題】  非接触ＩＣ搭載の従来の携帯端末装置では、通信相手の外部非接触ＩＣメディアとの通信の確認音が固定であるため、外部非接触ＩＣメディアを搭載している機器や場所を特定できない。【解決手段】  非接触ＩＣ１７と外部の非接触ＩＣリーダ／ライタとの間の通信により、ＣＰＵ１２は非接触ＩＣリーダ／ライタの機器識別情報を取得する。この機器識別情報は、非接触ＩＣリーダ／ライタに固有の情報で、その設置場所、種類などを識別させることができる。ＣＰＵ１２は抽出した機器識別情報でＲＯＭ１４を参照し、ＲＯＭ１４に予め設定してある機器識別情報に応じた確認音声信号データの中から、受信したものと同じ機器識別情報に対応する確認音声信号データをＲＯＭ１４から読み出して、スピーカ２３に供給し、これより機器識別情報に応じた音色の確認音を着信音として鳴動させる。【選択図】            図１
2006050478.tif 000002
【特許請求の範囲】
【請求項１】
最寄りの基地局との間で無線通信する機能を有する携帯通信端末において、
近接離間させたときに非接触ＩＣリーダ／ライタからの微弱な電波を受けて電力を発生して起動し、前記非接触ＩＣリーダ／ライタとの間で近距離通信を行う非接触ＩＣと、
前記非接触ＩＣリーダ／ライタの設置場所を特定する機器識別情報に応じて、互いに異なる所望のパラメータが設定された、第１の音声信号データを予め記憶している記憶手段と、
前記非接触ＩＣの受信信号から得た近距離通信先の前記非接触ＩＣリーダ／ライタ固有の機器識別情報に基づき、前記記憶手段を参照して受信した機器識別情報に応じた前記第１の音声信号データを読み出す読み出し手段と、
前記読み出し手段により前記記憶手段から読み出した前記第１の音声信号データによる着信音を鳴動させる鳴動手段と
を有することを特徴とする携帯端末装置。
【請求項２】
前記非接触ＩＣの受信信号から得た近距離通信先の前記非接触ＩＣリーダ／ライタ固有の機器識別情報が得られるかどうかにより、通信成功か不成功かを判定する判定手段と、
前記判定手段により通信成功か不成功かを、各種の情報を表示する表示部に表示させる表示手段とを更に有することを特徴とする請求項１記載の携帯端末装置。
【請求項３】
前記読み出し手段は、前記記憶手段に前記非接触ＩＣの受信信号から得た近距離通信先の前記非接触ＩＣリーダ／ライタ固有の機器識別情報に対応した第１の音声信号データが記憶されていない時には、通信成功用に予め前記記憶手段に格納されている第２の音声信号データを読み出して、前記鳴動手段により前記第２の音声信号データによる着信音を鳴動させることを特徴とする請求項１又は２記載の携帯端末装置。
【請求項４】
前記読み出し手段は、前記非接触ＩＣから受信信号が入力されないときは、通信不成功用に予め前記記憶手段に格納されている第３の音声信号データを読み出して、前記鳴動手段により前記第３の音声信号データによる着信音を鳴動させることを特徴とする請求項１乃至３のうちいずれか一項記載の携帯端末装置。
【請求項５】
前記第１、第２及び第３の音声信号データは、音色、メロディ、音量、断続音パターン、音声の少なくともいずれか一つのパラメータが互いに異なるように設定されて前記記憶手段に記憶されていることを特徴とする請求項１乃至４のうち、いずれか一項記載の携帯端末装置。
【請求項６】
前記機器識別情報に応じて異なる前記第１の音声信号データのパラメータは、音色、メロディ、音量、断続音パターン、音声の少なくともいずれか一つであることを特徴とする請求項１乃至４のうち、いずれか一項記載の携帯端末装置。
【発明の詳細な説明】
【技術分野】
【０００１】
本発明は携帯端末装置に係り、特に非接触リーダ／ライタとの間で各種の情報を送受したり、所定の処理を実行するために用いる非接触ＩＣ（集積回路）を具備する、携帯電話機、ＰＨＳ（Personal Handyphone System）、ＰＤＡ（Personal Data Assistance,Personal Digital Assistants：個人向け携帯型情報通信機器）等の携帯端末装置に関する。
【背景技術】
【０００２】
従来より、非接触ＩＣを搭載した携帯端末装置が知られている（例えば、特許文献１参照）。この特許文献１に記載の従来の携帯端末装置は、ディスプレイを備えており、記録領域を有する非接触ＩＣ（非接触ＩＣメディア）を交換自在に担持するメディア担持体と、装置筐体に埋め込まれたアンテナを含む無線送受信回路と、無線送受信回路を通じて、メディア担持体に担持された非接触ＩＣとアンテナの覆域内にある外部非接触ＩＣメディアの双方の記録領域に対するディジタル情報の読出制御及び書込制御を行う制御回路と、読み出したディジタル情報に基づく情報処理を実行し、その情報処理の結果情報をディスプレイに表示させると共に制御回路を通じて前記担持された非接触ＩＣ又は外部非接触ＩＣメディアの記録領域に記録させる情報処理手段とを備えた構成である。
【０００３】
この従来の携帯端末装置によれば、メディア担持体に担持されている非接触ＩＣと外部非接触ＩＣメディアの間で通信することができ、これにより、携帯端末装置をＰＯＳ端末、自動販売機、携帯決済端末等にかざして電子決済処理を行い、その結果を担持されている非接触ＩＣの記憶領域に記憶したり、携帯端末装置をギフトカード、ノベルティカード、乗車券カード、テレフォンカード等のプリペイドカードとすることも可能である。
【０００４】
【特許文献１】特開２０００−７６３９９号公報
【発明の開示】
【発明が解決しようとする課題】
【０００５】
しかるに、上記の非接触ＩＣ搭載の従来の携帯端末装置では、通信相手の外部非接触ＩＣメディア（リーダ／ライタ）を搭載している機器や場所に関係なく、通信の確認音が予め設定された固定の確認音であり、確認音をリーダ／ライタ）を搭載している機器や場所に応じて、ユーザの好みの音色、メロディ等の音に指定することができない。
【０００６】
本発明は上記の点に鑑みなされたもので、非接触ＩＣの使用時に、機器識別情報より機器や場所を特定し、予め指定したメロディ・音色・音楽等を確認音としてスピーカより鳴動することにより、使用者が正常に通信できたか否かを、好みの音で確認できることを可能とした非接触ＩＣを具備した携帯端末装置を提供することを目的とする。
【課題を解決するための手段】
【０００７】
上記の目的を達成するため、本発明の携帯端末装置は、最寄りの基地局との間で無線通信する機能を有する携帯通信端末において、近接離間させたときに非接触ＩＣリーダ／ライタからの微弱な電波を受けて電力を発生して起動し、非接触ＩＣリーダ／ライタとの間で近距離通信を行う非接触ＩＣと、非接触ＩＣリーダ／ライタの設置場所を特定する機器識別情報に応じて、互いに異なる所望のパラメータが設定された、第１の音声信号データを予め記憶している記憶手段と、非接触ＩＣの受信信号から得た近距離通信先の非接触ＩＣリーダ／ライタ固有の機器識別情報に基づき、記憶手段を参照して受信した機器識別情報に応じた第１の音声信号データを読み出す読み出し手段と、読み出し手段により記憶手段から読み出した第１の音声信号データによる着信音を鳴動させる鳴動手段とを有することを特徴とする。
【０００８】
また、上記の目的を達成するため、本発明の携帯端末装置は、非接触ＩＣの受信信号から得た近距離通信先の非接触ＩＣリーダ／ライタ固有の機器識別情報が得られるかどうかにより、通信成功か不成功かを判定する判定手段と、判定手段により通信成功か不成功かを表示部に表示させる表示手段とを更に有することを特徴とする。
【０００９】
また、上記の目的を達成するため、本発明の携帯端末装置は、上記の読み出し手段を、記憶手段に非接触ＩＣの受信信号から得た近距離通信先の非接触ＩＣリーダ／ライタ固有の機器識別情報に対応した第１の音声信号データが記憶されていない時には、通信成功用に予め記憶手段に格納されている第２の音声信号データを読み出して、鳴動手段により第２の音声信号データによる着信音を鳴動させることを特徴とする。
【００１０】
また、上記の目的を達成するため、本発明の携帯端末装置は、読み出し手段を、非接触ＩＣから受信信号が入力されないときは、通信不成功用に予め記憶手段に格納されている第３の音声信号データを読み出して、鳴動手段により第３の音声信号データによる着信音を鳴動させることを特徴とする。
【００１１】
また、上記の目的を達成するため、本発明の携帯端末装置は、第１、第２及び第３の音声信号データは、音色、メロディ、音量、断続音パターン、音声の少なくともいずれか一つのパラメータが互いに異なるように設定されて記憶手段に記憶されていることを特徴とする。
【００１２】
更に、上記の目的を達成するため、本発明の携帯端末装置は、機器識別情報に応じて異なる第１の音声信号データのパラメータは、音色、メロディ、音量、断続音パターン、音声の少なくともいずれか一つであることを特徴とする。
【００１３】
本発明は、最寄りの基地局との間で無線通信する機能を有する携帯端末装置において、非接触ＩＣを具備し、非接触ＩＣを非接触ＩＣリーダ／ライタと近接離間させることで非接触ＩＣを起動し、非接触ＩＣと非接触ＩＣリーダ／ライタとの間の近距離通信で得られた機器識別情報より非接触ＩＣリーダ／ライタの設置場所などを特定し、その機器識別情報に応じて予め指定した所望のパラメータ（メロディ・音声・音楽等）の音を着信音として鳴動させることができる。
【発明の効果】
【００１４】
本発明によれば、非接触ＩＣと非接触ＩＣリーダ／ライタとの間の近距離通信で得られた機器識別情報より非接触ＩＣリーダ／ライタの設置場所などを特定し、その機器識別情報に応じて予め指定した所望のパラメータ（メロディ・音声・音楽等）の音を着信音として鳴動させるようにしたため、使用者が正常に通信できたか否かを、好みのパラメータの着信音で確認できると同時に、非接触ＩＣリーダ／ライタの設置場所も好みのパラメータの着信音で確認できる（例えば、駅の改札では着信音Ａ、さらに○×駅の改札の場合は着信音Ｂといった設定が可能）。
【００１５】
また、本発明によれば、確認音は着信音と共用するようにしているため、本発明を適用する事にあたり記憶手段のメモリ容量を特別に増やす必要がなく、装置のコスト上昇を抑えることができる。
【発明を実施するための最良の形態】
【００１６】
次に、本発明を実施するための最良の形態について図面と共に説明する。図１は本発明になる携帯端末装置の一実施の形態のブロック図を示す。本実施の形態は携帯電話機に適用した例であり、携帯電話機１１は、装置全体を統括的に制御する中央処理装置（ＣＰＵ）１２がバス１３を介して、リード・オンリ・メモリ（ＲＯＭ）１４、非接触ＩＣ制御部１６、入力部１９、表示制御部２０、送受信部２２、スピーカ２３等に接続されている。
【００１７】
このうち、ＲＯＭ１４は、ＣＰＵ１２が実行するための各種の制御用プログラムや、メロディ・音声・音楽等の着信音データ１５等の固定的なデータを格納したメモリである。非接触ＩＣ制御部１６は、非接触ＩＣ１７を制御する回路である。入力部１９は入力キー１８からのキー入力を検知する回路である。
【００１８】
表示制御部２０は、表示部２１の表示を制御する制御回路である。表示部２１は、図示しない装置本体の前面に配置されており、白黒あるいはカラーの液晶パネルあるいは有機ＥＬ（電子蛍光）等の表示装置である。送受信部２２は、図示しない最寄りの基地局との間で無線通信を行い、着信や、発信、通話、通信を行う回路である。スピーカ２３は、メロディ・音声・着信音等を鳴動するための装置である。なお、携帯電話機にはその他、送話音声を収音するためのマイクなども存在するが、本発明の要旨とは直接の関係がないものは図示を省略してある。
【００１９】
次に、本実施の形態の動作について、図２のフローチャートを併せ参照して、非接触ＩＣリーダ／ライタとの認証から確認音（着信音）の鳴動に至る処理を説明する。まず、携帯電話機１１を非接触ＩＣリーダ／ライタに所定距離未満に近付けると、非接触ＩＣ１７と非接触ＩＣリーダ／ライタ間で、所定の認証のための通信が行われる（ステップＳ２１）。すなわち、携帯電話機１１の非接触ＩＣ１７を非接触リーダ／ライタに所定距離未満に近付けると、非接触ＩＣ１７は非接触リーダ／ライタのアンテナからの微弱な電波を受けて、非接触ＩＣ１７内に電力が発生して起動し、非接触ＩＣ１７と非接触ＩＣリーダ／ライタとの間で相互に近距離通信が行われて相互認証を行う（ステップＳ２１）。
【００２０】
相互認証が成功すると、非接触ＩＣ１７は非接触ＩＣリーダ／ライタとの間で通信を行い（ステップＳ２２）、非接触ＩＣリーダ／ライタを通して、機器識別情報を取得する（ステップＳ２３）。この機器識別情報は、非接触ＩＣリーダ／ライタに固有の情報で、その設置場所、種類などを識別させることができる。
【００２１】
ＣＰＵ１２は非接触ＩＣ１７と非接触ＩＣリーダ／ライタとの間の通信が成功したか否かを非接触ＩＣ制御部１６からの受信信号により判定し（ステップＳ２４）、通信が成功した場合、受信信号中の機器識別情報を抽出してＲＯＭ１４をその抽出した機器識別情報で参照し、ＲＯＭ１４に予め設定してある機器識別情報に応じた成功時に鳴動する確認音声信号データの中から、受信抽出した機器識別情報と同じ機器識別情報に対応する確認音声信号データをＲＯＭ１４から読み出して、バス１３を介してスピーカ２３に供給し、これより機器識別情報に応じた音色の確認音を着信音として鳴動させる（ステップＳ２５）。
【００２２】
なお、通信が成功したが、ＲＯＭ１４に受信した機器識別情報に対応した音声信号データが格納されていない場合は、ＣＰＵ１２は予め格納されている成功確認音用の所定の音声信号データをＲＯＭ１４から読み出してスピーカ２３に供給し、これにより所定の成功音が着信音として鳴動される。すなわち、この場合、非接触ＩＣリーダ／ライタがユーザが予め指定した場所にあるもではないが、非接触ＩＣ１７が非接触ＩＣリーダ／ライタと近距離通信に成功したことを成功時の音色の着信音から確認できる。勿論、この成功時の音色をユーザが好みの音に設定することも可能である。
【００２３】
他方、ＣＰＵ１２は、非接触ＩＣ１７と非接触ＩＣリーダ／ライタとの間の通信に失敗した場合、予め設定してある機器識別情報に応じた、失敗時に鳴動する確認音声信号をＲＯＭ１４から読み出して生成してバス１３を介してスピーカ２３に供給し、これより失敗時の音色の確認音を鳴動させる（ステップＳ２６）。この失敗時の音色もユーザが好みの音に設定することが可能である。
【００２４】
従って、本実施の形態によれば、例えば、駅の改札での利用の場合、駅の改札であることと駅名などは、機器識別情報に基づき取得することができるので、利用する駅名毎に指定着信音を設定しておくことにより、指定した駅の改札口で非接触ＩＣ１７を使用する毎に、指定した好みの音色の確認音をスピーカ２３から着信音として鳴動することができる。従って、その確認音で駅名と使用成功を確認できる。また、失敗時の確認音により使用失敗を確認できる。
【００２５】
なお、本発明は以上の実施の形態に限定されるものではなく、例えば、上記の実施の形態では携帯電話機１１の場合について説明したが、ＰＨＳ等の他の携帯端末装置でも同様にして、機器識別情報を基に確認音を鳴動することにより、同様の効果が得られる。また、上記の実施の形態では機器識別情報に応じて確認音の音色を変えられることを例に説明したが、機器識別情報に応じて異なる音声信号のパラメータは音量、メロディ、あるいは断続音パターンのどれか一つ、又はこれらのどれかと音色とを組み合わせて変えるようにしてよもいし、音声でもよい。
【００２６】
更に、上記の実施の形態では使用者は音のみで、非接触ＩＣ１７と非接触ＩＣのリーダ／ライタとの通信の成功の有無を確認していることを例に説明したが、音と共に表示部２１へ所定の確認表示を行ってもよい。また、上記の実施の形態では、１つの非接触ＩＣリーダ／ライタにつき１つの機能を有している事を前提に説明したが、１つの非接触ＩＣリーダ／ライタが複数の機能に対応している場合、それぞれの機能毎に成功時の確認音、失敗時の確認音を設定できてもよい。
【００２７】
また、更に、上記の実施の形態では、非接触ＩＣリーダ／ライタが駅の改札口に設けられている場合を例にとって説明したが、非接触ＩＣリーダ／ライタの設置場所はこれに限定されるものではなく、病院や金融機関、コンビニエンスストア、店舗などの所定の位置に設置されて、非接触ＩＣ搭載の携帯端末装置を、診察券、キャッシュカード、電子マネーなどに使用することができることは勿論である。
【図面の簡単な説明】
【００２８】
【図１】本発明の一実施の形態のブロック図である。
【図２】図１の動作説明用フローチャートである。
【符号の説明】
【００２９】
１１  携帯電話機
１２  中央処理装置（ＣＰＵ）
１３  バス
１４  リード・オンリ・メモリ（ＲＯＭ）
１５  着信音データ
１６  非接触ＩＣ制御部
１７  非接触ＩＣ
１８  入力キー
１９  入力部
２０  表示制御部
２１  表示部
２２  送受信部
２３  スピーカ
【図１】
2006050478.tif 000003
【図２】
2006050478.tif 000004